(57)【要約】【課題】植え穴を掘る必要がなく、高度な専門技術が不要であり、施工時間が短く、施工コストも比較的安価な苗木植栽技術を提供する。【解決手段】横断面が略長方形状した平板形状の根鉢１１と、当該根鉢１１で育成された苗木１０とを備えた植栽用苗木Ｐ１を、根鉢１１を横に倒伏させた状態で植栽予定地Ｇの地面ＧＳ上に載置し、平面部１１ａを地面ＧＳに接触させ、この後、袋本体４２に培土４１を充填して形成された押え袋４０を根鉢１１の平面部１１ｂ上に載せ、根鉢１１全体及びその近傍の地面ＧＳを覆う状態とする、苗木植栽工法である。これにより、苗木植栽構造１００が形成される。【選択図】図５
2018033401.tif 000002
【特許請求の範囲】
【請求項１】
根鉢と、前記根鉢で育成された苗木と、を備えた植栽用苗木であって、
前記根鉢の横断面形状が、略三角形、略長方形若しくは略半円形である植栽用苗木。
【請求項２】
前記苗木が、地被植物である請求項１記載の植栽用苗木。
【請求項３】
前記苗木が、這性種のテイカカズラである請求項１または２記載の植栽用苗木。
【請求項４】
根鉢と、前記根鉢で育成された苗木とを備えた植栽用苗木を、前記根鉢を横に倒伏させた状態で植栽予定地の地面上に載置する工程と、培土が充填された押え袋を前記根鉢の上に載せて押さえる工程と、を備えた苗木植栽工法。
【請求項５】
前記根鉢の横断面形状が、略三角形、略長方形若しくは略半円形である請求項４記載の苗木植栽工法。
【請求項６】
前記押え袋が枕形状である請求項４または５記載の苗木植栽工法。
【請求項７】
前記苗木が、地被植物である請求項４〜６のいずれかの項に記載の苗木植栽工法。
【請求項８】
前記苗木が、這性種のテイカカズラである請求項４〜７のいずれかの項に記載の苗木植栽工法。
【発明の詳細な説明】
【技術分野】
【０００１】
本発明は、高速道路あるいは一般道路の路肩部等の植栽予定地へ苗木を植栽する技術に関する。
【背景技術】
【０００２】
高速道路の路肩部に植栽用苗木を植え込む場合、従来、路肩部に穴を掘って植える工法が採用されてきた。しかしながら、高速道路の路肩部の植栽予定地には光通信ケーブル等のケーブル類が埋設されているので、従来の穴を掘って植える工法を実施する場合、植え穴掘り作業に起因するケーブル類の損傷を回避するため、予め、ケーブル埋設位置を確認するための試掘が必要となる。ところが、この試掘作業に要する労力と費用が大きな負担となっている。
【０００３】
そこで、植栽する場所に植え穴を掘らずに苗木を植栽する工法が提案されている（例えば、特許文献１，２，３参照。）。
【０００４】
特許文献１には、それぞれ不透水性の一面シートと他面シートを備え、一面シートの周縁部は他面シートの折り返し部で覆われ、周縁部と折り返し部は相互間に通水間隙と培土充填路を保って一体化され、一面シートに植穴開口部が設けられ、他面シートは二以上の他面片からなり、隣接する両他面片は重合部を有し、重合部の繋ぎ部を除いた非一体化部が生分解性糸により仮止めされた構造を有する「植栽用袋」が記載されている。
【０００５】
特許文献１に記載された「植栽用袋」に培土を充填して苗木を栽培し、栽培された苗木を「植栽用袋」とともに植栽予定地に設置すれば、植え穴を掘ることなく、苗木を植栽することができる。
【０００６】
特許文献２には、台形の表シートの両側辺部及び長辺部を表シートより大きい裏シートの周縁部が覆った状態で、表シートと裏シートが一体化された台形をなし、表シートは、不透水性で、苗木を挿入するための植穴開口部を有し、かつその表面の植穴開口部を避けた位置に、長辺部と平行で、長辺部側に開口を有し、かつ内部が表裏のシート間の空間に連通する一つ以上の袋体が形成され、裏シートは不透水性で、かつ設置の時から時間が経過すると開放する透根部を備えた構造を有する「のり面植栽用袋」が記載されている。
【０００７】
特許文献２に記載された「のり面植栽用袋」に培土を充填したものを植栽予定地に固定しておき、その後、「のり面植栽用袋」の培土中に苗木を植栽すれば、植え穴を掘る作業を省略することができる。
【０００８】
特許文献３には、腐食質繊維製で扁平な袋状体を横方向に複数連設して形成された複合袋状体の各袋状体にそれぞれ土壌を封入し、この土壌に各袋状体の表面に明けた孔を通して植栽用の苗木を植え付けて成る「植栽ユニット」が記載されている。
【０００９】
特許文献３に記載された「植栽ユニット」は、特許文献２に記載された「のり面植栽用袋」と同様、培土を充填した状態で植栽予定地に固定しておき、その後、「植栽ユニット」の培土中に苗木を植栽すれば、植え穴を掘る作業を省略することができる。
【先行技術文献】
【特許文献】
【００１０】
【特許文献１】特開２００６−１０１８２０号公報
【特許文献２】特開２００６−１０４８６１号公報
【特許文献３】特開２０００−３２８５７３号公報
【発明の概要】
【発明が解決しようとする課題】
【００１１】
特許文献１〜３に記載された発明を利用すれば、植栽予定地に植え穴を掘る作業を省略することができるが、培土を充填するための植栽用袋（袋状体）等の製造コストが高いので、実際に施工した場合、植え穴堀り作業の省略によって削減されたコストと相殺することとなる。この結果、全体的な施工コストは、従来の工法（試掘を伴う植え穴掘り工法）と同程度となるため、特許文献１〜３に記載された発明は、広く実施されていないのが実状である。
【００１２】
そこで、本発明が解決しようとする課題は、植え穴を掘る必要がなく、高度な専門技能が不要であり、施工時間が短く、施工コストも比較的安価な苗木植栽技術を提供することにある。
【課題を解決するための手段】
【００１３】
本発明の植栽用苗木は、根鉢と、前記根鉢が付いた状態で育成された苗木とを備えた植栽用苗木であって、
前記根鉢の横断面形状が、略三角形、略長方形若しくは略半円形であることを特徴とする。
【００１４】
ここで、前記植栽用苗木において、前記苗木は、地被植物であることが望ましい。
【００１５】
また、植栽用苗木において、前記苗木は、這性種のテイカカズラを使用することができる。
【００１６】
次に、本発明の苗木植栽工法は、
根鉢と、前記根鉢で育成された苗木とを備えた植栽用苗木を、前記根鉢を横に倒伏させた状態で植栽予定地の地面上に載置する工程と、培土が充填された押え袋を前記根鉢の上に載せて押さえる工程と、を備えたことを特徴とする。
【００１７】
また、前記苗木植栽工法においては、前記根鉢の横断面形状が、略三角形、略長方形若しくは略半円形であることが望ましい。
【００１８】
さらに、前記苗木植栽工法においては、前記押え袋が枕形状であることが望ましい。
【００１９】
一方、前記苗木植栽工法において、前記苗木は、地被植物であることが望ましい。
【００２０】
また、前記苗木植栽工法において、前記苗木は、這性種のテイカカズラであることが望ましい。
【発明の効果】
【００２１】
本発明により、植え穴を掘る必要がなく、高度な専門技能が不要であり、施工時間が短く、施工コストも比較的安価な苗木植栽技術を提供することができる。
【図面の簡単な説明】
【００２２】
【図１】本発明の実施形態である植栽用苗木を示す斜視図である。
【図２】図１中のＡ−Ａ線における断面図である。
【図３】図１に示す植栽用苗木を横に倒伏させて植栽予定地に載置した状態を示す斜視図である。
【図４】図３中の矢線Ｂ方向から見た図である。
【図５】図３に示す植栽用苗木の根鉢の上に押え袋を載せて押さえた状態を示す斜視図である。
【図６】図５中の矢線Ｃ方向から見た一部省略図である。
【図７】本発明のその他の実施形態である植栽用苗木を示す斜視図である。
【図８】図７中のＤ−Ｄ線における断面図である。
【図９】図７に示す植栽用苗木を横に倒伏させて植栽予定地に載置した状態を示す一部省略図である。
【図１０】図９に示す植栽用苗木の根鉢の上に押え袋を載せて押さえた状態を示す一部省略図である。
【図１１】本発明のその他の実施形態である植栽用苗木を示す斜視図である。
【図１２】図１１中のＥ−Ｅ線における断面図である。
【図１３】図１１に示す植栽用苗木を横に倒伏させて植栽予定地に載置し、その根鉢の上に押え袋を載せて押さえた状態を示す一部省略図である。
【発明を実施するための形態】
【００２３】
次に、図１〜図６に基づいて、本発明の実施形態である植栽用苗木Ｐ１及びこれを使用した苗木植栽工法について説明する。
【００２４】
図１に示すように、植栽用苗木Ｐ１は、根鉢１１と当該根鉢１１で育成された苗木１０とを備えたものであり、根鉢１１全体は略平板形状をなしている。図２に示すように根鉢１１の横断面形状は略長方形（角が丸まった長方形）をなしている。苗木１０は地被植物の一種である這性種のテイカカズラであるが、これに限定するものではない。なお、根鉢１１の横断面とは、根鉢１１の長手方向Ｌ１と直交する平面で切断した面をいう。
【００２５】
図３〜図６に基づいて苗木１０を使用した苗木植栽工法について説明する。初めに、図３，図４に示すように、根鉢１１が付いた苗木１０を、当該根鉢１１を横に倒伏させた状態で植栽予定地Ｇの地面ＧＳ上に載置する。根鉢１１を横に倒伏させた状態とは、根鉢１１の長手方向Ｌ１が地面ＧＳと略平行をなすような姿勢で根鉢１１を地面ＧＳ上に載置した状態をいう。なお、植栽予定地Ｇの地面ＧＳに凹凸があったり、雑草が繁茂したりしているときは、施工現場の状況に応じて、整地したり、除草したりすることが望ましい。
【００２６】
図３，図４に示す工程においては、根鉢１１の外周を形成する４つの長方形の平面部１１ａ，１１ｂ，１１ｃ，１１ｄ（図２参照）のうち、面積が広い方の平面部１１ａ，１１ｂのいずれかを地面ＧＳに当接させた状態で根鉢１１を地面ＧＳ上に載置する。本実施形態では、一方の平面部１１ａを地面ＧＳに当接させた状態で根鉢１１を地面Ｇ上に載置している。
【００２７】
次に、図５に示すように、培土４１が充填された押え袋４０を根鉢１１の平面部１１ｂの上及びその近傍の地面ＧＳの上に載せ、これらの部分を覆った状態とする。これにより、押え袋４０の重量で根鉢１１が地面ＧＳに押さえ付けられた状態となり、植栽作業が完了する。このとき、図６に示すように、根鉢１１全体が押え袋４０によって覆われた状態となるように留意する。また、根鉢１１の外周の一部をなす平面部１１ｃ，１１ｄと地面ＧＳと押え袋４０とで囲まれた隙間Ｇ１がなるべく小さくなるようにする。これにより、図５，図６に示す苗木植栽構造１００が形成される。
【００２８】
図５に示すように、枕形状の押え袋４０は、通気性及び通水性を有するメッシュ材で形成された袋本体４２と、袋本体４２内に充填された培土４１とによって形成されている。このため、押え袋４０に降り注ぐ雨水や散水等の水分は押え袋４０を透過して根鉢１１へ浸透していくことが可能であり、残余の水分は押え袋４０内の培土４１中に保水可能である。袋本体４２を構成するメッシュ材の目の粗さは限定しないが、充填された培土４１が漏出しない程度とすることが望ましい。
【００２９】
図５，図６に示す状態となった後、日数が経過すると、苗木１０の根が、根鉢１１の長方形の平面部１１ａと地面ＧＳとの接触領域を通過して地中へ伸びていくので、やがて苗木１０は植栽予定地Ｇに活着する。
【００３０】
図３〜図６に示す苗木植栽工法においては、根鉢１１が付いた苗木１０（植栽用苗木Ｐ１）を、その根鉢１１を横に倒伏させた状態で植栽予定地Ｇの地面ＧＳ上に載置した後、培土４１が充填された押え袋４０を根鉢１１の上に載せるだけで、植栽用苗木Ｐ１を植栽予定地Ｇに植栽することができる。このため、植え穴を掘る必要がなく、高度な専門技能が不要であり、施工時間も大幅に短縮される。また、植栽用苗木Ｐ１（根鉢１１が付いた苗木１０）の他に必要な資材は、培土４１が充填された押え袋４０であり、植え穴掘り作業も不要であるため、施工コストも比較的安価に抑えることができる。
【００３１】
次に、図７〜図１０に基づいて、本発明のその他の実施形態である植栽用苗木Ｐ２及びこれを使用した苗木植栽工法について説明する。
【００３２】
図７に示すように、植栽用苗木Ｐ２は、根鉢２１と当該根鉢２１で育成された苗木２０とを備えたものであり、根鉢２１全体は略三角柱形状をなしている。図８に示すように、根鉢２１の横断面形状は略三角形（角が丸まった直角二等辺三角形）をなしている。苗木２０は地被植物の一種である這性種のテイカカズラであるが、これに限定するものではない。なお、植栽用苗木Ｐ２を構成する根鉢２１の横断面とは、根鉢２１の長手方向Ｌ２と直交する平面で切断した面をいう。
【００３３】
図９に示すように、根鉢２１が付いた苗木２０（植栽用苗木Ｐ２）を、当該根鉢２１を横に倒伏させた状態で植栽予定地Ｇの地面ＧＳ上に載置する。根鉢２１を横に倒伏させた状態とは、根鉢２１の長手方向Ｌ２が地面ＧＳと略平行をなすような姿勢で根鉢２１を地面ＧＳ上に載置した状態をいう。
【００３４】
図９に示す工程においては、根鉢２１の外周を形成する３つの長方形の平面部２１ａ，２１ｂ，２１ｃ（図８参照）のうち、面積が最も広い長方形の平面部２１ａを地面ＧＳに当接させた状態で根鉢２１を地面ＧＳ上に載置する。
【００３５】
次に、図１０に示すように、培土４１が充填された押え袋４０を根鉢２１の上に載せることにより、根鉢２１を地面ＧＳに押さえ付けた状態とすると、植栽作業は完了する。このとき、図１０に示すように、極力、根鉢２１の２つ平面部２１ｂ，２１ｃ全体に押え袋４０が接触した状態とすることが望ましい。これにより、図１０に示す苗木植栽構造２００が形成される。
【００３６】
図７〜図１０に示す植栽用苗木Ｐ２及びこれを使用した苗木植栽工法によって得られる作用効果は、図１〜図６に示す植栽用苗木Ｐ１及びこれを使用した苗木植栽工法によって得られる作用効果と同様である。
【００３７】
一方、図７〜図１０に示す植栽用苗木Ｐ２及びこれを使用した苗木植栽工法においては、植栽用苗木Ｐ２を構成する根鉢２１の横断面形状が略三角形（角が丸まった直角二等辺三角形）をなしているため、図１０に示すように、根鉢２１と地面ＧＳと押え袋４０とによって囲まれた隙間Ｇ２を、図６に示す隙間Ｇ１より小さくすることができる。このため、根鉢２１の乾燥が抑制され、活着率の向上に有効である。
【００３８】
図８，図９に示すように、本実施形態においては、植栽用苗木Ｐ２を構成する根鉢２１の横断面形状は角が丸まった直角二等辺三角形をなしているが、これに限定するものではないので、その他の三角形（例えば、頂角Ｒが鈍角の三角形）とすることもできる。
【００３９】
次に、図１１〜図１３に基づいて、本発明のその他の実施形態である植栽用苗木Ｐ３及びこれを使用した苗木植栽工法について説明する。
【００４０】
図１１に示すように、植栽用苗木Ｐ３は、根鉢３１と当該根鉢３１で育成された苗木３０とを備えたものであり、根鉢３１全体は略半円柱形状をなしている。図１２に示すように、根鉢３１の横断面形状は略半円形（角を丸めた半円形）をなしている。苗木３０は地被植物の一種である這性種のテイカカズラであるが、これに限定するものではない。なお、植栽用苗木Ｐ３を構成する根鉢３１の横断面とは、根鉢３１の長手方向Ｌ３と直交する平面で切断した面をいう。
【００４１】
図１３に示すように、根鉢３１が付いた苗木３０（植栽用苗木Ｐ３）を、当該根鉢３１を横に倒伏させた状態で植栽予定地Ｇの地面ＧＳ上に載置する。根鉢３１を横に倒伏させた状態とは、根鉢３１の長手方向Ｌ３が地面ＧＳと略平行をなすような姿勢で根鉢３１を地面ＧＳ上に載置した状態をいう。
【００４２】
図１３に示すように、根鉢３１の外周は長方形の平面部３１ａ（図１２参照）と凸状の曲面部３１ｂで形成されているが、平面部３１ａを地面ＧＳに当接させた状態で根鉢３１を地面ＧＳ上に載置する。
【００４３】
この後、培土４１（図５参照）が充填された押え袋４０を根鉢３１の上に載せることにより、根鉢３１を地面ＧＳに押さえ付けた状態とすると、植栽作業は完了する。このとき、図１３に示すように、極力、根鉢３１の凸状の曲面部３１ｂ全体に押え袋４０が接触した状態とする。これにより、図１３に示す苗木植栽構造３００が形成される。
【００４４】
図１０〜図１３に示す植栽用苗木Ｐ３及びこれを使用した苗木植栽工法によって得られる作用効果は、図１〜図１０に示す植栽用苗木Ｐ１，Ｐ２及びこれを使用した苗木植栽工法によって得られる作用効果と同様である。
【００４５】
一方、図１０〜図１１に示す植栽用苗木Ｐ３及びこれを使用した苗木植栽工法においては、植栽用苗木Ｐ３を構成する根鉢３１の横断面形状が略半円形（角を丸めた半円形）をなしている。このため、図１３に示すように、根鉢３１と地面ＧＳと押え袋４０とによって囲まれた隙間Ｇ３を小さくすることができるだけでなく、根鉢３１の曲面部３１ｂと押え袋４０との密着性も高めることができる。従って、根鉢３１の乾燥が抑制され、活着率の向上に有効である。
【００４６】
図１２，図１３に示すように、本実施形態においては、植栽用苗木Ｐ３を構成する根鉢３１の横断面形状は角を丸めた半円形をなしているが、これに限定するものではないので、角が丸まった半楕円形あるいは半長円形とすることもできる。
【００４７】
なお、図１〜図１３に基づいて説明した植栽用苗木Ｐ１，Ｐ２，Ｐ３及びこれらを使用した苗木植栽工法は本発明を例示するものであり、本発明に係る植栽用苗木及び苗木植栽工法は、前述した植栽用苗木Ｐ１，Ｐ２，Ｐ３及びこれらを使用した苗木植栽工法に限定されない。
【産業上の利用可能性】
【００４８】
本発明に係る植栽用苗木及び苗木植栽工法は高速道路や一般道路の路肩部等の緑化手段として土木建設業等の産業分野において広く利用することができる。
【符号の説明】
【００４９】
１０，２０，３０  苗木
１１，２１，３１  根鉢
１１ａ，１１ｂ，１１ｃ，１１ｄ，２１ａ，２１ｂ，２１ｃ，３１ａ  平面部
３１ｂ  曲面部
４０  押え袋
４１  培土
４２  袋本体
１００，２００，３００  苗木植栽構造
Ｇ  植栽予定地
Ｇ１，Ｇ２  隙間
ＧＳ  地面
Ｌ１，Ｌ２  長手方向
Ｐ１，Ｐ２，Ｐ３  植栽用苗木
Ｒ  頂角
【図１】
2018033401.tif 000003
【図２】
2018033401.tif 000004
【図３】
2018033401.tif 000005
【図４】
2018033401.tif 000006
【図５】
2018033401.tif 000007
【図６】
2018033401.tif 000008
【図７】
2018033401.tif 000009
【図８】
2018033401.tif 000010
【図９】
2018033401.tif 000011
【図１０】
2018033401.tif 000012
【図１１】
2018033401.tif 000013
【図１２】
2018033401.tif 000014
【図１３】
2018033401.tif 000015